(57)【要約】【課題】耐熱性及び耐圧性の上で望ましい高温高圧対応のガスケットパッキンを用いるに当り、このガスケットパッキンを適正位置に保持しながらバルブ側接続面とブロック側接続面の間に簡単にセットすることができるようにしたパネルバルブの提供。【解決手段】バルブ側連通口２３，２４をブロック側連通口７３，７４に符合させる状態に、バルブ側接続面４をブロック側接続面８に面合接続させるようにしたパネルバルブＡにおいて、バルブ側連通口の口縁部にガスケットパッキン５を適正位置に収容保持するための環状凹部２５が形成されている。【選択図】　　　図１
2004044634.tif 000002
【特許請求の範囲】
【請求項１】
ブロック本体の内部にブロック内流路が形成され、ブロック本体の外側縦面にブロック側接続面がほぼ垂直に形成され、このブロック側接続面に前記ブロック内流路へのブロック側連通口が形成されているパネルブロックに対して取り付けるようにしたパネルバルブであって、
バルブ本体の内部に弁口を開閉させる弁体が設けられ、この弁体による弁口の開放状態でバルブ内流路が連通し、前記弁体による弁口の閉鎖状態でバルブ内流路が遮断されるように形成され、
前記バルブ本体の外面一側にバルブ側接続面がほぼ垂直に形成され、このバルブ側接続面に前記バルブ内流路へのバルブ側連通口が形成され、
前記バルブ側連通口を前記ブロック側連通口に符合させる状態に、前記バルブ側接続面をブロック側接続面に面合接続させるようにしたパネルバルブにおいて、
前記バルブ側連通口の口縁部にガスケットパッキンを適正位置に収容保持するための環状凹部が形成されていることを特徴とするパネルバルブ。
【発明の詳細な説明】
【０００１】
【発明の属する技術分野】
本発明は、パネルブロックに対して取り付けるようにしたパネルバルブであって、流体、例えば、タイヤ加硫機に用いる蒸気や高圧ガス等の配管系に用いられるパネルバルブに関する。
【０００２】
【従来の技術】
従来、各種のバルブを１ヶ所に集合させてユニット化させるために、パネルブロックに対して取り付けるようにしたパネルバルブが提案されている。
【０００３】
図３に示すように、従来のパネルバルブａは、流体が比較的低圧のものを対象としたもので、バルブ本体１の内部に弁口２０を開閉させる弁体３が設けられ、この弁体３による弁口２０の開放状態でバルブ内流路２１，２２が連通し、前記弁体３による弁口２０の閉鎖状態でバルブ内流路２１，２２が遮断されるように形成されている。
そして、前記バルブ本体１の外面一側にバルブ側接続面４がほぼ垂直に形成され、このバルブ側接続面４に前記バルブ内流路２１，２２へのバルブ側連通口２３，２４が形成されている。
又、パネルブロックｂは、ブロック本体６の内部にブロック内流路７１，７２が形成され、ブロック本体６の外側縦面にブロック側接続面８がほぼ垂直に形成され、このブロック側接続面８に前記ブロック内流路７１，７２へのブロック側連通口７３，７４が形成されたものである。
そして、前記バルブ側連通口２３，２４を前記ブロック側連通口７３，７４に符合させる状態に、前記バルブ側接続面４をブロック側接続面８に面合接続させる配管系に形成されている。
【０００４】
このとき、前記バルブ側接続面４とブロック側接続面８とは、シール部材を介して気密状態に面合接続させることになるが、従来のように、流体が比較的低圧の場合には、シール部材としてシート状ガスケット９を使用できるもので、この場合には、バルブ側接続面４とブロック側接続面８の間に挟むだけの簡単な作業でシート状ガスケット９をセットすることができた。
【０００５】
しかしながら、タイヤ加硫機等、使用流体が蒸気や高圧ガスの場合には、耐熱性及び耐圧性の上から、シール部材として高温高圧対応のガスケットパッキンを用いるのが望ましい。
このガスケットパッキンは、規格で定められた固定サイズでドーナツ状に形成されており、このため、このガスケットパッキンを適正位置にセットしながら、バルブ側連通口とブロック側連通口を符合させる状態に、バルブ側接続面とブロック側接続面を面合接続させるのは作業的に難しいという問題がある。
特に、前記ブロック側接続面及びバルブ側接続面とが垂直に形成されているため、ガスケットパッキンを立てた状態でセットしなければならない。そうすると、ガスケットパッキンが落ち易くなり、このような状態で、ガスケットパッキンを適正位置に保持しながらバルブ側接続面とブロック側接続面の間にセットすることは至難の業と言えるほど困難であった。
【０００６】
【発明が解決しようとする課題】
本発明はかかる従来の問題点を解決するためになされたものであって、耐熱性及び耐圧性の上で望ましい高温高圧対応のガスケットパッキンを用いるに当り、このガスケットパッキンを適正位置に保持しながらバルブ側接続面とブロック側接続面の間に簡単にセットすることができるようにしたパネルバルブを提供することを課題としている。
【０００７】
【課題を解決するための手段】
上記課題を解決するために、本発明のパネルバルブは、
ブロック本体の内部にブロック内流路が形成され、ブロック本体の外側縦面にブロック側接続面がほぼ垂直に形成され、このブロック側接続面に前記ブロック内流路へのブロック側連通口が形成されているパネルブロックに対して取り付けるようにしたパネルバルブであって、
バルブ本体の内部に弁口を開閉させる弁体が設けられ、この弁体による弁口の開放状態でバルブ内流路が連通し、前記弁体による弁口の閉鎖状態でバルブ内流路が遮断されるように形成され、
前記バルブ本体の外面一側にバルブ側接続面がほぼ垂直に形成され、このバルブ側接続面に前記バルブ内流路へのバルブ側連通口が形成され、
前記バルブ側連通口を前記ブロック側連通口に符合させる状態に、前記バルブ側接続面をブロック側接続面に面合接続させるようにしたパネルバルブにおいて、
前記バルブ側連通口の口縁部にガスケットパッキンを適正位置に収容保持するための環状凹部が形成されている構成とした。
【０００８】
【発明の実施の形態】
以下本発明の実施の形態を図面に示す実施例に基づいて説明する。
図１は本発明の１実施例にかかるパネルバルブの切欠断面平面図、図２はこのパネルバルブの側面図である。
【０００９】
図において、Ａはパネルバルブで、バルブ本体１の内部に、弁口２０で連通する流入路２１（バルブ内流路）と流出路２２（バルブ内流路）が形成され、前記弁口２０に設けた弁体３の開放状態で流入路２１と流出路２２が連通し、前記弁体３による弁口２０の閉鎖状態（図１で示す状態）で流入路２１と流出路２２が遮断されるように形成されている。
なお、前記弁体３は、バルブステム３０の先端に取り付けられ、このバルブステム３０の上端に取り付けたピストン（図示省略）の往復作動に伴ない上下往復移動して、弁口２０を開閉させる直動形ピストンバルブになっている。
【００１０】
前記バルブ本体１の外面一側には、バルブ側接続面４がほぼ垂直に形成され、このバルブ側接続面４に前記流入路２１への流入口２３（バルブ側連通口）及び流出路２２への流出口２４（バルブ側連通口）が形成されている。
そして、前記流入口２３及び流出口２４の口縁部にガスケットパッキン５，５を適正位置に収容保持するための環状凹部２５，２５が形成されている。
【００１１】
このガスケットパッキン５は、インナメタルリングとアウタメタルリングの間にシールリングが装着されたもので、規格で定められた固定サイズでドーナツ状に形成され、耐熱性及び耐圧性に優れた高温高圧対応のパッキンである。
【００１２】
前記環状凹部２５は、前記ガスケットパッキン５がガタ付きなく嵌合できるような内径に形成されると共に、パッキンつぶし代を考慮してガスケットパッキン５の厚さよりも浅い深さで形成されている。
【００１３】
前記パネルバルブＡは、パネルブロックＢに対して取り付けられるものである。
このパネルブロックＢは、ブロック本体６の内部に流入路７１（ブロック内流路）と流出路７２（ブロック内流路）が形成され、ブロック本体６の外側縦面にブロック側接続面８がほほ垂直に形成され、このブロック側接続面８に前記流入路７１及び流出路７２への流入口７３（ブロック側連通口）及び流出口７４（ブロック側連通口）が形成されている。
【００１４】
そして、前記流入口２３，７３同士及び流出口２４，７４同士を符合させる状態に、前記バルブ側接続面４とブロック側接続面８を、前記環状凹部２５，２５に収容保持したガスケットパッキン５，５を介して面合接続させるようになっている。
この場合、前記ブロック側接続面８にスタッドボルト６０が取り付けられ、前記バルブ側接続面４からバルブ本体１を貫通させたボルト取付用貫通穴１０に前記スタッドボルト６０を挿通させて、その先端をナット６１で締め付けた取り付け構造になっている。
【００１５】
なお、図面では、パネルブロックＢに取り付けた１個のパネルバルブＡを示しているが、前記パネルブロックＢには複数個のパネルバルブが同様の取り付け構造で取り付けられて、複数個のパネルバルブを１個のパネルブロックＢに集合させたバルブユニットが形成されている。
【００１６】
従って、本実施例のパネルバルブＡでは、ガスケットパッキン５を環状凹部２５に収容保持できるため、パネルバルブＡをパネルブロックＢに対して取り付けるに際し、前記バルブ側接続面４及びブロック側接続面８が垂直であっても、ガスケットパッキン５が立った状態であっても、このガスケットパッキン５は適正位置に保持され、落ちることはない。
【００１７】
【発明の効果】
以上説明してきたように本発明のパネルバルブにあっては、耐熱性及び耐圧性の上で望ましい高温高圧対応のガスケットパッキンを用いるに当り、このガスケットパッキンをバルブ側連通口の口縁部に収容保持するための環状凹部を形成したので、このガスケットパッキンを適正位置に保持しながらバルブ側接続面とブロック側接続面の間に簡単にセットすることができる。
【図面の簡単な説明】
【図１】本発明の１実施例にかかるパネルバルブの切欠断面平面図である。
【図２】このパネルバルブの側面図である。
【図３】従来のパネルバルブを示す切欠断面平面図である。
【符号の説明】
Ａ　パネルバルブ
Ｂ　パネルブロック
１　バルブ本体
１０　ボルト取付用貫通穴
２０　弁口
２１　流入路（バルブ側流路）
２２　流出路（バルブ側流路）
２３　流入口（バルブ側連通口）
２４　流出口（バルブ側連通口）
２５　環状凹部
３　弁体
３０　バルブステム
４　バルブ側接続面
５　ガスケットパッキン
６　ブロック本体
６０　スタッドボルト
６１　ナット
７１　流入路（ブロック内流路）
７２　流出路（ブロック内流路）
７３　流入口（ブロック側連通口）
７４　流出口（ブロック側連通口）
８　ブロック側接続面
【図１】
2004044634.tif 000003
【図２】
2004044634.tif 000004
【図３】
2004044634.tif 000005